(57)【要約】【課題】入浴中に吸水口を覆うフィルター部材の小孔群が目詰まりしても、補助機能の働きで吸水不能に至らずに循環能力が維持され、追い焚き不能やジェット噴流停止等で入浴者が迷惑を被るのを回避できる吸水口構造を提供する。【解決手段】循環式浴槽Ｔの側壁Ｔａに貫設された吸水口３０ａの槽内側にフィルター部材４が装着され、フィルター部材４の前壁部４１に吸水口３０ａと浴槽内とを連通する小孔４０ａ…，４０ｂ…群を有し、フィルター部材４の周辺部４２に迂回吸水回路１０が形成され、小孔４０ａ…，４０ｂ…群に目詰まりを生じた際に、吸水口３０ａ内の負圧によって浴槽水が迂回吸水回路１０より吸水口３０ａ内に流入するように構成されてなる。【選択図】図６
2009156508.tif 000002
【特許請求の範囲】
【請求項１】
循環式浴槽の側壁に貫設された吸水口の槽内側に、該吸水口を覆うフィルター部材が装着され、このフィルター部材の前壁部に吸水口と浴槽内とを連通する小孔群を有すると共に、該フィルター部材の周辺部に迂回吸水回路が形成され、前記小孔群に目詰まりを生じた際に、吸水口内の負圧によって浴槽水が迂回吸水回路より吸水口内に流入するように構成されてなる循環式浴槽の吸水口構造。
【請求項２】
フィルター部材の周辺部の少なくとも一部が二重周壁をなし、前記迂回吸水回路の入口側通路が該二重周壁間に構成されて該二重周壁の前後一方側又は両方側で浴槽内に連通してなる請求項１記載の循環式浴槽の吸水口構造。
【請求項３】
フィルター部材は、前壁部及び二重周壁部を有する合成樹脂成形物からなるフィルター本体と、該フィルター本体の前面を覆う金属板からなるフィルターカバーとで構成され、これらフィルター本体及びフィルターカバーにわたって前記小孔群が形成され、前記迂回吸水回路がフィルターカバーの周辺部とフィルター本体との間を通るように構成されてなる請求項２記載の循環式浴槽の吸水口構造。
【請求項４】
前記吸水口と給湯機からの湯の吐出口とが浴槽側壁に貫設された給湯口アダプタに一体化され、フィルター部材の周辺部の下部側に吐出口に連通するスリット状の開口部が設けられてなる請求項１〜３のいずれか１項に記載の循環式浴槽の吸水口構造。
【発明の詳細な説明】
【技術分野】
【０００１】
この発明は、追い焚き機能付きバスやジェット噴流バスのような外部配管による浴槽水の循環機能を持つ循環式浴槽における吸水口構造に関するものである。
【背景技術】
【０００２】
一般的に、循環式浴槽の吸水口では、浴槽水と共に髪の毛や湯垢、繊維屑等の異物の吸入を防止するために、該吸水口を覆うカバー状のフィルター部材が装着される（例えば、特許文献１，２）。このようなフィルター部材は、吸水口の開口に臨んで多数の小孔やメッシュを設けたものであるが、吸水に伴って浴槽水中の異物が付着・蓄積し、次第に小孔群（メッシュの小孔を含む）に目詰まりを生じて吸水能力が低下するため、ある程度の使用期間に達した際に取り外して清掃し、目詰まりを解消する必要がある。
【特許文献１】特開２００２−３３６１５０号公報
【特許文献２】特開２００５−５８４２９号公報
【発明の開示】
【発明が解決しようとする課題】
【０００３】
しかしながら、前記従来の吸水口構造では、入浴中にフィルター部材が殆ど目詰まりしてしまうと、吸水不能となって循環を行えず、追い焚き機能付きバスでは追い焚きの湯が出なくなり、またジェット噴流バスでは噴流が停止し、いずれにしても入浴者が多大な迷惑を被ることになる。
【０００４】
この発明は、上述の事情に鑑みて、循環式浴槽において、入浴中に吸水口を覆うフィルター部材の小孔群が殆ど目詰まりしても、補助機能の働きで吸水不能に至らずに循環能力が維持され、もって追い焚き不能やジェット噴流停止等で入浴者が迷惑を被るのを回避できる吸水口構造を提供することを目的としている。
【課題を解決するための手段】
【０００５】
上記目的を達成するために、本発明は以下の手段を提供する。
【０００６】
〔１〕循環式浴槽の側壁に貫設された吸水口の槽内側に、該吸水口を覆うフィルター部材が装着され、このフィルター部材の前壁部に吸水口と浴槽内とを連通する小孔群を有すると共に、該フィルター部材の周辺部に迂回吸水回路が形成され、前記小孔群に目詰まりを生じた際に、吸水口内の負圧によって浴槽水が迂回吸水回路より吸水口内に流入するように構成されてなる循環式浴槽の吸水口構造。
【０００７】
〔２〕フィルター部材の周辺部の少なくとも一部が二重周壁をなし、前記迂回吸水回路の入口側通路が該二重周壁間に構成されて該二重周壁の前後一方側又は両方側で浴槽内に連通してなる前項１に記載の循環式浴槽の吸水口構造。
【０００８】
〔３〕フィルター部材は、前壁部及び二重周壁部を有する合成樹脂成形物からなるフィルター本体と、該フィルター本体の前面を覆う金属板からなるフィルターカバーとで構成され、前記迂回吸水回路がフィルターカバーの周辺部とフィルター本体との間を通るように構成されてなる前項２に記載の循環式浴槽の吸水口構造。
【０００９】
〔４〕前記吸水口と給湯機からの湯の吐出口とが浴槽側壁に貫設された給湯口アダプタに一体化され、フィルター部材の周辺部の下部側に吐出口に連通するスリット状の開口部が設けられてなる前項１〜３のいずれか１項に記載の循環式浴槽の吸水口構造。
【発明の効果】
【００１０】
〔１〕の発明では、入浴中にフィルター部材の前壁部の小孔群に目詰まりを生じても、吸水口内の負圧によって浴槽水が迂回吸水回路より吸水口内に流入するから、吸水不能に至らずに循環能力が維持される。従って、例えば追い焚き機能付きバスにおいて追い焚きの湯が出なくなったり、ジェット噴流バスにおいてジェット噴流が停止したりするトラブルがなく、入浴者がこれらトラブルによって迷惑を被るのを回避できる。
【００１１】
〔２〕の発明によれば、迂回吸水回路は、入口側通路がフィルター部材の周辺部の二重周壁間に構成され、該二重周壁の前後一方側又は両方側で浴槽内に連通し、細く曲がりくねって圧損の大きい流路構成になるため、フィルター部材の前壁部の小孔群が通じている間は吸水に機能せず、もって平常状態では目詰まりを生じることがなく、該小孔群が目詰まりする異常事態に至って確実に吸水機能を発揮できる。特に迂回吸水回路を複雑な構成に形成した場合には、平常状態あるいは異常状態にかかわらず、迂回吸水回路に目詰まりが生じるのを確実に防止でき、優れた循環能力を長期間維持することができる。
【００１２】
〔３〕の発明では、フィルター部材の合成樹脂成形物からなるフィルター本体と、該フィルター本体の前面を覆う金属板からなるフィルターカバーの周辺部との間に、前記迂回吸水回路を通すことから、該迂回吸水回路としての細く曲がりくねって圧損の大きい流路を容易に形成できる。
【００１３】
〔４〕の発明では、吸水口と給湯機からの湯の吐出口とが浴槽側壁に貫設された給湯口アダプタに一体化された構成において、吐出口からの湯をフィルター部材のスリット状開口部より浴槽内に放出できる。
【発明を実施するための最良の形態】
【００１４】
以下、この発明に係る循環式浴槽の吸水口構造の実施形態について、図面を参照して具体的に説明する。図１は給湯口アダプタの浴槽側壁への取付状態、図２はフィルター部材のフィルターカバー、図３は同フィルター本体、図４は流路形成部材の前面、図５は平常状態での吸水挙動、図６は迂回吸水回路による吸水状態、をそれぞれ示す。
【００１５】
なお、この給湯口アダプタは、浴槽外に設置した給湯機（図示省略）からの温水を浴槽内に供給する湯はり機能と、浴槽内の温水を給湯機に吸い込んで加熱した高温水を浴槽内に戻す追い焚き機能とを備えた浴槽給湯システムに適用するものであり、所謂無極タイプとして、給湯機に繋がる往き管と戻り管（図示省略）に対する接続が逆になっても同じ機能が得られるようになっている。
【００１６】
図１に示すように、この給湯口アダプタは、槽外取付部材１、槽内取付部材２、流路形成部材３、フィルター部材４の４つの主要部品と、槽外側のリング状パッキング５、Ｏリング６、槽内側のリング状パッキング７、リング状滑りシート８、ロックねじ９の付属部品とで構成されている。なお、図中のＨは浴槽Ｔの側壁Ｔａに設けた貫通穴を示す。
【００１７】
槽外取付部材１は、黄銅やステンレス鋼等の金属製であり、略円筒状をなす外筒部１ａの開放した前端にフランジ部１ｂを備えると共に、該外筒部１ａの閉塞した後端部に一対の外管接続部１１ａ，１１ｂが設けられ、該外筒部１ａの内側には前方へ開放した円筒状の内筒部１ｃが同軸状に一体形成されている。そして、内筒部１ｃの内側空間１２ａが外管接続部１１ａに、外筒部１ａと内筒部１ｃの間の環状空間１２ｂが外管接続部１１ｂに、それぞれ連通している。また、外筒部１ａの前部内周には雌ねじ１３が刻設され、この外筒部１ａの前端よりも内奥に位置した内筒部１ｃの前端の内周側に、前記Ｏリング６を嵌装するための環状溝１４が形成されている。
【００１８】
槽内取付部材２は、ポリアセタート樹脂等の硬質樹脂成形物からなり、両端が開放した筒状部２ａの前端にフランジ部２ｂが一体形成されており、筒状部２ａの外周には槽外取付部材１の雌ねじ１３に対応する雄ねじ２１が設けてある。また、フランジ部２ｂの前面側には多数の有底のロック穴２２…が周方向一定間隔置きに形成されている。
【００１９】
流路形成部材３は、既述の無極タイプとしての流路を形成するものであり、円盤部３１ａの中央部後面側に流路分岐部３１ｂ及び流路筒部３１ｃを一体形成した硬質合成樹脂成形物からなる本体３１と、該本体３１の円盤部３１ａの前面側に嵌着される硬質合成樹脂成形物からなる円形の蓋板３２と、流路分岐部３１ｂに配置される縦長のゴム板からなる左右一対の弁体３３，３３とを備えている。そして、本体３１の円盤部３１ａの周縁には前後両側へ突出した周壁部３４が形成され、この周壁部３４の前縁側に内嵌係止した蓋板３２と当該円盤部３１ａとの間で流路分離室３０を構成している。また、この周壁部３４には、外周面の３ヵ所にＬ字形の係止溝３４ａ（図４参照）を有すると共に、内周面にも周方向に等配した３ヵ所に係止突起（図示省略）が設けてある。
【００２０】
流路分離室３０内は、吸水口である上部側の吸込み空間３０ａと、吐出口である下部側の吐出空間３０ｂとに区画され、更に図示を省略しているが、吸込み空間３０ａが左右２室に分離し、吐出空間３０ｂも流路分岐部３１ｂに臨む上部が左右に分画されている。しかして、円盤部３１ａの周壁部３４は吐出空間３０ｂに臨む下半部では前方突出部分がなく、これによって当該円盤部３１ａと蓋板３２との下半部間で吐出空間３０ｂから周辺側へスリット状に開放した放出口３５が形成されている。また、蓋板３２は、流路分離室３０の吸込み空間３０ａに臨む上部の左右両側に、図４でも示すように、径小で表裏に透通する吸込孔３２ａ…群を有すると共に、前面には右側の吸込孔３２ａ…群を囲む円環状突縁３２ｂが形成され、上端中央部にねじ孔３２ｃを備えている。
【００２１】
流路分岐部３１ｂは、吸込み空間３０ａ及び吐出空間３０ｂの左右一方側を流路筒部３１ｃ内に、同他方側を外側開放口（図示省略）に、それぞれ弁部３６を介して連通している。そして、各弁部３６では、吸込み空間３０ａと吐出空間３０ｂの上下両方にわたるように配置した弁体３３が、吸込み空間３０ａ側では内側（後方）へ、吐出空間３０ｂ側では外側（前方）へそれぞれ弾性変形して開弁し、逆方向には図１で示すように上下部の弁座３６ａ，３６ｂにそれぞれ平板状で当接して閉弁するように構成している。
【００２２】
しかして、流路形成部材３は、槽内取付部材２に対し、その筒状部２ａ内に前方から流路分岐部３１ｂ及び流路筒部３１ｃを挿嵌する形で、周壁部３４の後方突出部分をフランジ部２ｂに外嵌し、該周壁部３４内周の各係止突起をフランジ部２ｂ外周の係止溝に嵌入した状態で少し捻回操作することにより、抜出不能に係合連結される。
【００２３】
フィルター部材４は、ポリアセタート樹脂等の硬質合成樹脂成形物からなるフィルター本体４ａと、その前面を覆うステンレス鋼等の金属板からなるフィルターカバー４ｂとで構成されている。
【００２４】
フィルター本体４ａは、図３（Ａ）〜（Ｃ）で詳細に示すように、円板状の前壁部４１の周縁から後方へ周壁部４２が張出して皿形をなしている。その前壁部４１には、周辺部４１ｂを除く内側領域４１ａの略全体に、前後に貫通する多数の小孔４０ａ…が密に配列する共に、内側領域４１ａと周辺部４１ｂとの境界円周に沿って、前後に透通するスリット状孔４３…が当該円周の下部側を除いて一定間隔置きに設けられ、更に周辺部の３ヵ所に１２０度の位相差で等配したカバー係止孔４４ａを有している。そして、前壁部４１ａの前面側では、周辺部４１ｂが内側領域４１ａに対して段下すると共に、該周辺部４１ｂの周方向複数箇所に半径方向に沿う補強リブ４５…が突設されている。一方、該前壁部４１ａの後面側の中央部には上下方向に沿う突条部４１ｃが設けられている。
【００２５】
また、フィルター本体４ａの周壁部４２は、全周にわたって内周壁部４２ａと外周壁部４２ｂとの二重構造をなすと共に、下部側には周方向に沿うスリット状の開口部４６が形成されている。そして、該周壁部４２の開口部４６よりも上部側では、内外周壁部４２ａ，４２ｂ間の間隙１０ａが前後両側で開口しており、また内周面の３ヵ所に流路形成部材３の各係止溝３４ａに対応する係止突起４７が突設されている。なお、内外周壁部４２ａ，４２ｂは、開口部４６によって前後に分離する下部側では当該開口部４６に沿って連続的に繋がる一方、開口部４６よりも上部側では前部寄りの位置で一定間隔置きに繋がっている。
【００２６】
フィルターカバー４ｂは、図２（Ａ）（Ｂ）で詳細に示すように、円形で周縁部が後方へ湾曲して浅い皿形をなしており、周辺部を除く内側領域の略全体に小孔４０ｂ…がフィルター本体４ａの小孔４０ａ…に対応して密に配列する共に、周辺部の３ヵ所にフィルター本体４ａのカバー係止孔４４ａに対応する取付孔４４ｂが穿設されている。
【００２７】
上記のフィルター本体４ａとフィルターカバー４ｂとは、図１に示すように、フィルターカバー４ｂの周縁部をフィルター本体４ａの周壁部４２の間隙１０ａに前部側から嵌入させる形で、該フィルターカバー４ｂをフィルター本体４ａの前面に被せ、各カバー係止孔４４ａを通して割りピン４８をフィルター本体４ａの各カバー係止孔４４ａに圧入することにより、固着一体化してフィルター部材４を構成し、フィルター本体４ａの各小孔４０ａがフィルターカバー４ｂの小孔４０ｂと連通するように設定されている。
【００２８】
このフィルター部材４は、流路形成部材３に対し、その流路分離室３０の前面に被せて、周壁部４２の内周の各係止突起４７を流路形成部材３の周壁部３４外周の係止溝３４ａに嵌入した状態で少し捻回操作することにより、抜出不能に係合連結される。この係合連結状態においては、図１に示すように、フィルター部材４の後面側の突条部４１ｃ及び周辺部が流路形成部材３の前面に当接することから、該フィルター部材４の後面側と流路形成部材３の前面側との間に偏平空間３７が構成され、上部側では該偏平空間３７を介して該フィルター部材４の小孔４０ａ…，４０ｂ…群が流路形成部材３の吸込孔３２ａ…群と連通している。また、フィルター部材４の下部側のスリット状の開口部４６は、流路形成部材３の下部側でスリット状に開放した放出口３５に臨んでおり、もって吐出空間３０ｂが該放出口３５及び開口部４６を通して浴槽内に連通している。
【００２９】
そして、図５及び図６に示すように、フィルター部材４の開口部４６よりも上部側では、二重構造の周壁部４２における前後両側で開口した間隙１０ａから、フィルター本体４ａにおける前壁部４１の周辺部４１ｂの段下した前面側とフィルターカバー４ｂの後面側との間隙１０ｂを経て、フィルター本体４ａのスリット状孔４３…を通り、偏平空間３７より流路形成部材３の吸込孔３２ａ…より吸込み空間３０ａに至る迂回吸水回路１０が構成されている。
【００３０】
なお、槽外側のリング状パッキング５は、断面略内向き開放Ｕ字状をなし、槽外取付部材１のフランジ部１ｂに外嵌することにより、被せパッキングとして該フランジ部１ｂを包み込む状態に密着固定できるようになっている。また、槽内側のリング状パッキング７は、断面略スペード形をなす厚肉リング部７０と、この厚肉リング部７０から中心側へ張出する薄肉リング部７１とで構成されている。更に、リング状滑りシート８は、ポリオレフィンやポリエステル等の表面滑性が合成樹脂シートからなり、槽内取付部材２の筒状部２ａに嵌装した状態で、内周縁が当該筒状部２ａに略当接すると共に、外周縁がリング状パッキング７の厚肉リング部７０に被さる大きさに設定されている。
【００３１】
上記構成の給湯口アダプタを浴槽Ｔに取り付けるには、浴槽側壁Ｔａの外側において、槽外取付部材１の外管接続部１１ａ，１１ｂに給湯機に繋がる往き管と戻り管を接続すると共に、この槽外取付部材１のフランジ部１ｂにリング状パッキング５を嵌着する。また、槽内取付部材２の筒状部２ａの基部側にも、リング状パッキング７とリング状滑りシート８を前者がフランジ部２ｂ側に位置するように嵌装する。そして、浴槽側壁Ｔａの内側から、槽内取付部材２の筒状部２ａを貫通穴Ｈに通して槽外取付部材１の外筒部１ａに合わせ、この槽内取付部材２の回転操作によって筒状部２ａの雄ねじ２１を外筒部１ａの雌ねじ１３に螺合させ、両取付部材１，２のフランジ部１ｂ，２ｂ間で浴槽側壁Ｔａを内外から挟着したのち、浴槽Ｔの内側より槽内取付部材２に流路形成部材３及びフィルター部材４を図１の如く取り付けることにより、給湯口アダプタの取り付けが完了する。
【００３２】
なお、流路形成部材３は、放出口３５が下側になる状態で、流路筒部３１ｃ側から槽内取付部材２内に嵌入させ、該流路筒部３１ｃを槽内取付部材２内に突入している槽外取付部材１の内筒部１ｃに挿嵌させる。そして、周壁部３４の後方突出部分を槽内取付部材２のフランジ部２ｂに外嵌し、既述のように捻回操作して係合連結した上で、蓋板３２のねじ孔３２ｃにロックねじ９をねじ込む。これにより、該ロックねじ９の先端が円盤部３１ａを貫通して槽内取付部材２のフランジ部２ｂの前面側に設けたロック穴２２に嵌入し、流路形成部材３が槽内取付部材２に対して捻回不能となるから、該流路形成部材３の槽内取付部材２との係合が意に反して解除されるのを防止できる。
【００３３】
この給湯口アダプタにおいては、平常状態での追い焚きの際、給湯機側のポンプの駆動により、流路分離室３０の吸込み空間３０ａの左右一方側に負圧が作用し、図５に示すように、浴槽水がフィルター部材４の小孔４０ａ…，４０ｂ…群を通って偏平空間３７に入り、流路形成部材３の吸込孔３２ａ…群より該吸込み空間３０へ流入し、給湯機へ送られる。そして、該給湯機で加熱されて昇温した湯は、流路分離室３０の吐出空間３０ｂの左右一方側に戻され、放出口３５（開口部４６）より浴槽内へ放出される。
【００３４】
一方、追い焚きの際にフィルター部材４の小孔４０ａ…，４０ｂ…群が髪の毛や湯垢等の異物で目詰まりし、フィルター部材４の前面側からの吸水が停止する事態に陥った場合、前記ポンプの駆動に伴う吸込み空間３０ａの負圧により、図６に示すように、浴槽水が迂回吸水回路１０より吸込み空間３０ａに流入するから、追い焚き機能が維持されて浴槽内の湯温を高めることができる。従って、入浴中に上記目詰まりを生じても、入浴者は低い湯温で我慢を強いられるような不具合を確実に防止でき、快適な入浴環境を常時得ることができる。
【００３５】
しかして、迂回吸水回路１０は常時通水可能な状態にあるが、その流路が細く狭く且つ曲がりくねり、小孔４０ａ…，４０ｂ…群を通した吸水に比べて格段に圧損が大きいため、平常状態では該迂回吸水回路１０からの吸水は生じない。従って、該迂回吸水回路１０は、小孔４０ａ…，４０ｂ…群よりも先に目詰まりすることはなく、これら小孔４０ａ…，４０ｂ…群が目詰まりする異常事態に至って確実に吸水機能を発揮できる。
【００３６】
特に本実施形態の迂回吸水回路１０は、構成が複雑で大きい圧損を有しているため、平常状態あるいは異常状態にかかわらず、目詰まりが生じるのを確実に防止することができ、優れた吸水機能（循環能力）を半永久的に長期間維持することができる。
【００３７】
なお、迂回吸水回路１０としては、前記実施形態以外の種々の流路構成が可能であり、フィルター部材４の周辺部から吸水口へ流通抵抗が大きくなるように細く狭く複数に折れ曲がる流路とすればよいが、実施形態のようにフィルター部材４の二重構造とした周壁部４２の隙間１０ａを入口側流路とするのが好適である。なお、実施形態では該隙間１０ａが前後両側に開口しているが、いずれか一方のみに開口した構造でもよい。また、実施形態のように合成樹脂成形物からなるフィルター本体４ａの前面を金属板からなるフィルターカバー４ａで覆う形態とすれば、両者４ａ，４ｂ間の隙間１０ｂを利用して複雑で狭窄な迂回吸水回路１０を容易に構成できる利点がある。
【００３８】
また、この発明の吸水口構造は、実施形態として例示した無極タイプに限らず、給湯機に繋がる往き管と戻り管との接続流路が規定される浴槽用給湯口アダプタにも適用可能であると共に、吸水口が吐出口とは別に浴槽側壁Ｔａに独立して設けられる構造においても同様に適用可能である。その他、この発明では、吸水口構造に関与する各部材の細部形態や材質、流路構成等について、実施形態以外に種々設計変更可能である。
【図面の簡単な説明】
【００３９】
【図１】この発明の一実施形態に係る吸水口構造を適用した浴槽用給湯口アダプタの組み付け状態を示す縦断側面図である。
【図２】同浴槽用給湯口アダプタに用いるフィルター部材のフィルターカバーを示し（Ａ）図は正面図、（Ｂ）図は縦断側面図である。
【図３】同フィルター部材のフィルター本体を示し（Ａ）図は正面図、（Ｂ）図は縦断側面図，（Ｃ）図は底面図である。
【図４】同浴槽用給湯口アダプタに用いる流路形成部材の正面図である。
【図５】同吸水口構造における平常時の吸水状態を示す要部の縦断側面図である。
【図６】同吸水口構造における迂回吸水回路による吸水状態を示す要部の縦断側面図である。
【符号の説明】
【００４０】
１      槽外取付部材
２      槽内取付部材
３      流路形成部材
４      フィルター部材
４ａ    フィルター本体
４ｂ    フィルターカバー
１０    迂回吸水回路
１０ａ  隙間（迂回吸水回路の一部）
１０ｂ  隙間（迂回吸水回路の一部）
３０ａ  吸込み空間（吸水口）
３０ｂ  吐出空間（吐出口）
３５    吐出口
４０ａ  小孔
４０ｂ  小孔
４１    前壁部
４２    周壁部（周辺部）
４３    スリット状孔（迂回吸水回路の一部）
４６    開口部
Ｈ      貫通穴
Ｔ      浴槽
Ｔａ    浴槽側壁
【図１】
2009156508.tif 000003
【図２】
2009156508.tif 000004
【図３】
2009156508.tif 000005
【図４】
2009156508.tif 000006
【図５】
2009156508.tif 000007
【図６】
2009156508.tif 000008